(57)【要約】【課題】撮像者が希望しない場合でも、通知がされるので、撮像者にとって煩わしい。【解決手段】撮像装置は、被写体として複数の人物を含む、望ましい集合写真としての確認項目が格納された格納部と、撮像者から前記集合写真の設定指示を受け付ける受付部と、前記撮像者からの操作に基づいて被写体を撮像して画像を生成する撮像部と、前記受付部により前記集合写真の前記設定指示が受け付けられている場合に、前記撮像部により生成された前記画像に対して、前記格納部に格納されている前記確認項目を確認し、確認結果を前記撮像者に通知する通知部とを備える。【選択図】図１
2014086971.tif 000002
【特許請求の範囲】
【請求項１】
被写体として複数の人物を含む、望ましい集合写真としての確認項目が格納された格納部と、
撮像者から前記集合写真の設定指示を受け付ける受付部と、
前記撮像者からの操作に基づいて被写体を撮像して画像を生成する撮像部と、
前記受付部により前記集合写真の前記設定指示が受け付けられている場合に、前記撮像部により生成された前記画像に対して、前記格納部に格納されている前記確認項目を確認し、確認結果を前記撮像者に通知する通知部と
を備える撮像装置。
【請求項２】
前記確認項目は、前記被写体の人物の顔の重複度閾値を含み、
前記通知部は、前記画像に含まれる人物の顔の重複度が、重複度閾値以下の場合、前記確認結果として、その旨を通知する
請求項１に記載の撮像装置。
【請求項３】
前記通知部は、前記重複度が前記重複度閾値以下の人物を通知する
請求項２に記載の撮像装置。
【請求項４】
前記通知部は、前記重複度が前記重複度以下の人物の一方の目が露出していない場合、通知する
請求項２または３に記載の撮像装置。
【請求項５】
前記確認項目は、上下重複度閾値と、前記上下重複度閾値より大きい水平重複度閾値とを含み、
前記通知部は、前記画像に含まれる人物の顔の上下重複度が上下重複度閾値以下の場合、及び、前記顔の水平重複度が前記水平重複度閾値以下の場合、前記確認結果として、その旨を通知する
請求項１から４のいずれか１項に記載の撮像装置。
【請求項６】
前記確認項目は、間隔差閾値を含み、
前記通知部は、いずれかの人物と隣接する人物との間隔の複数の差が前記間隔差閾値以上の場合、その旨を通知する
請求項１から５のいずれか１項に記載の撮像装置。
【請求項７】
前記確認項目は、角度差閾値を含み、
前記通知部は、前記複数の人物の足の傾斜角度の差が、前記角度差閾値以上の場合、その旨を通知する
請求項１から６のいずれか１項に記載の撮像装置。
【請求項８】
前記確認項目は、明暗差閾値を含み、
前記通知部は、人物の顔の明暗差が、前記明暗差閾値以上の場合、その旨を通知する
請求項１から７のいずれか１項に記載の撮像装置。
【請求項９】
前記確認項目は、上半身用確認項目と、全身用確認項目とを含み、
前記通知部は、前記画像に、前記複数の人物の全身が含まれる場合、前記全身用確認項目を用いて確認して、前記複数の人物の全身が含まれない場合、前記上半身用確認項目を用いて確認する
請求項１から８のいずれか１項に記載の撮像装置。
【請求項１０】
前記受付部は、セルフタイマの撮像指示を受け付け、
前記通知部は、前記受付部が前記セルフタイマの撮像指示を受け付けると、前記確認項目を確認する
請求項１から９のいずれか１項に記載の撮像装置。
【請求項１１】
前記複数の人物までの距離を測定する測距部を更に備え、
前記通知部は、前記測距部により測定された距離を取得して、遠方の人物を拡大補正する
請求項１から１０のいずれか１項に記載の撮像装置。
【請求項１２】
前記確認項目は、人物数差閾値を含み、
前記通知部は、前記画像の左半分の人物の数と右半分の人物の数との差が、前記人物数差閾値以上の場合、その旨を通知する
請求項１から１１のいずれか１項に記載の撮像装置。
【請求項１３】
被写体として複数の人物を含む、望ましい集合写真としての確認項目を格納する格納段階と、
撮像者から前記集合写真の設定指示を受け付ける受付段階と、
前記撮像者からの操作に基づいて被写体を撮像して画像を生成する撮像段階と、
前記受付段階により前記集合写真の前記設定指示が受け付けられている場合に、前記撮像段階により生成された前記画像に対して、前記格納段階で格納された前記確認項目を確認し、確認結果を前記撮像者に通知する通知段階と
を備える撮像方法。
【請求項１４】
撮像者から集合写真の設定指示を受け付けたか否かを判定する受付ステップと、
前記撮像者からの操作に基づいて被写体を撮像して画像を生成させる撮像ステップと、
前記受付ステップにより前記集合写真の前記設定指示が受け付けられている場合に、前記撮像ステップにより生成された前記画像に対して、被写体として複数の人物を含む望ましい集合写真としての確認項目を確認し、確認結果を前記撮像者に通知する通知ステップと
をコンピュータに実行させるプログラム。
【発明の詳細な説明】
【技術分野】
【０００１】
本発明は、撮像装置、撮像方法及びプログラムに関する。
【背景技術】
【０００２】
複数の人物を一度に撮影する場合に、不適切な状況を通知する集合写真に適した撮像装置が知られている（例えば、特許文献１参照）。
［特許文献１］  特開２００９−２９０７８２号公報
【発明の概要】
【発明が解決しようとする課題】
【０００３】
しかしながら、上述の撮像装置では、撮像者が複数の人物を意図的な配置等で撮像しようとした場合でも、一律に「不適切」と判断されて通知がされるので、撮像者にとって煩わしいといった課題がある。
【課題を解決するための手段】
【０００４】
本発明の第１の態様においては、被写体として複数の人物を含む、望ましい集合写真としての確認項目が格納された格納部と、撮像者から前記集合写真の設定指示を受け付ける受付部と、前記撮像者からの操作に基づいて被写体を撮像して画像を生成する撮像部と、前記受付部により前記集合写真の前記設定指示が受け付けられている場合に、前記撮像部により生成された前記画像に対して、前記格納部に格納されている前記確認項目を確認し、確認結果を前記撮像者に通知する通知部とを備える撮像装置を提供する。
【０００５】
本発明の第２の態様においては、被写体として複数の人物を含む、望ましい集合写真としての確認項目を格納する格納段階と、撮像者から前記集合写真の設定指示を受け付ける受付段階と、前記撮像者からの操作に基づいて被写体を撮像して画像を生成する撮像段階と、前記受付段階により前記集合写真の前記設定指示が受け付けられている場合に、前記撮像段階により生成された前記画像に対して、前記格納段階で格納された前記確認項目を確認し、確認結果を前記撮像者に通知する通知段階とを備える撮像方法を提供する。
【０００６】
本発明の第３の態様においては、撮像者から前記集合写真の設定指示を受け付けたか否かを判定する受付ステップと、前記撮像者からの操作に基づいて被写体を撮像して画像を生成させる撮像ステップと、前記受付ステップにより前記集合写真の前記設定指示が受け付けられている場合に、前記撮像ステップにより生成された前記画像に対して、被写体として複数の人物を含む望ましい集合写真としての前記確認項目を確認し、確認結果を前記撮像者に通知する通知ステップとをコンピュータに実行させるプログラムを提供する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】撮像装置１０の全体構成図である。
【図２】確認項目５０を説明する図である。
【図３】重複度の確認結果を説明する集合写真の一例である。
【図４】間隔差の確認結果を説明する集合写真の一例である。
【図５】角度差の確認結果を説明する集合写真の一例である。
【図６】明暗差の確認結果を説明する集合写真の一例である。
【図７】撮像処理のフローチャートである。
【図８】集合写真処理のフローチャートである。
【図９】人物数差の確認結果を説明する集合写真の一例である。
【図１０】別の確認項目５０を説明する図である。
【図１１】上下重複度及び水平重複度の確認を説明する集合写真の一例である。
【図１２】別の確認項目５０を説明する図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、撮像装置１０の全体構成図である。図１に矢印で示す方向を撮像装置１０のＸＹＺ方向とする。尚、Ｚ方向は、被写体光束の光軸１６と平行な方向である。図１に示すように、撮像装置１０は、レンズユニット１２と、本体ユニット１４とを備えている。
【００１１】
レンズユニット１２は、本体ユニット１４に対して取り外し可能であってもよく、本体ユニット１４に一体化されていてもよい。レンズユニット１２は、撮像レンズ２０と、レンズ制御部２２と、絞り２４と、絞り制御部２６とを有する。
【００１２】
撮像レンズ２０は、複数の光学レンズを有する。撮像レンズ２０は、光軸１６に沿って入射する被写体光束を焦点面近傍で結像させて、後述する撮像素子３０へ導く。レンズ制御部２２は、合焦または拡大・縮小させるために撮像レンズ２０の複数の光学レンズを駆動する。
【００１３】
絞り２４は、面積を変更可能な開口によって、撮像素子３０に入射する入射光である被写体光束の光量を絞る。絞り制御部２６は、絞り２４を駆動して、開口の面積を制御する。
【００１４】
本体ユニット１４は、撮像素子３０と、Ａ／Ｄ変換回路３２と、駆動部３４と、画像処理部３６と、ＡＦセンサ３８と、受付部４０と、表示部４２と、メモリカード４４と、格納部４６と、タイマ４７と、制御部４８とを有する。
【００１５】
撮像素子３０は、二次元的に複数の光電変換素子が配列された、例えば、ＣＣＤ、ＣＭＯＳセンサ等のイメージセンサである。撮像素子３０は、受光面上に結像された被写体像を電気的な画像信号に変換してＡ／Ｄ変換回路３２へと出力する。Ａ／Ｄ変換回路３２は、撮像素子３０が出力する画像信号をデジタル信号に変換して、制御部４８へと出力する。駆動部３４は、撮像素子３０をタイミング制御する。
【００１６】
画像処理部３６は、Ａ／Ｄ変換された画像信号から画像データを生成して、制御部４８へと出力する。
【００１７】
ＡＦセンサ３８は、被写体空間に対して複数の測距点が設定された位相差線である。ＡＦセンサ３８は、それぞれの測距点において、被写体像のデフォーカス量を検出して、制御部４８へと出力する。
【００１８】
受付部４０は、タッチパネル、シャッター、操作ボタン等を有する。撮影者は、受付部４０によって、種々の設定を行う。例えば、撮像者は、シャッターによって撮像指示を入力する。これにより、撮像素子３０が、例えば静止画を撮像する。撮像者は、受付部４０によって、集合写真モードを設定する。集合写真モードでは、被写体として複数の人物を含む集合写真を撮像する場合において、望ましい集合写真としての確認項目に沿って確認した確認結果を通知する。撮像者は、受付部４０によって、セルフタイマモードを設定する。これにより、シャッター操作されてから数秒後に静止画が撮像される。
【００１９】
表示部４２は、撮像素子３０によって撮像中の画像、メモリカード４４に格納されている画像等を表示する。表示部４２は、種々の設定をするための設定画面を表示する。
【００２０】
格納部４６は、撮像プログラム等のプログラム、確認項目５０及び画像データ等のデータを格納する。
【００２１】
タイマ４７は、撮像者が受付部４０によってセルフタイマモードに設定した状態で、シャッターが操作されることにより撮像指示が入力されてからの時間を測定する。
【００２２】
制御部４８は、コンピュータの一例であって、通知部の一例である。制御部４８は、画像処理部３６が生成した画像データを表示信号に変換して、表示部４２に表示させる。また、制御部４８は、画像処理部３６が生成した画像データをメモリカード４４に格納する。制御部４８は、ＡＦセンサ３８から取得したデフォーカス量に基づいて、レンズ制御部２２を介して、撮像レンズ２０を駆動する。制御部４８は、受付部４０によって設定された設定に基づいて、撮像装置１０を制御する。例えば、制御部４８は、撮影者によって集合写真モードが設定されると、格納部４６に格納された確認項目５０と、画像とを比較して、確認結果を表示部４２に表示する。
【００２３】
図２は、確認項目５０を説明する図である。図２に示すように、確認項目５０は、重複度を判定する重複度閾値Ｔｈ１、間隔差を判定する間隔差閾値Ｔｈ２、角度差を判定する角度差閾値Ｔｈ３、明暗差を判定する明暗差閾値Ｔｈ４を含む。
【００２４】
図３は、重複度の確認結果を説明する集合写真の一例である。制御部４８は、撮像された画像に含まれる複数の人物の顔の重複度を検出する。制御部４８は、検出した重複度と重複度閾値Ｔｈ１とを比較する。重複度閾値Ｔｈ１の一例は、９０％である。制御部４８は、重複度が重複度閾値Ｔｈ１以下の場合、当該人物がいずれかを表示部４２に示す。
【００２５】
例えば、図３に示すように、制御部４８は、人物Ｍ１の顔の画像を抽出する。制御部４８は、抽出した顔の画像から露出している部分の輪郭を抽出する。図３に点線で示すように、制御部４８は、抽出した輪郭から隠れている部分の顔の輪郭を特定する。隠れている部分の顔の輪郭は、例えば、露出している部分の輪郭に沿った楕円形または過度の丸い四角形を当てはめることによって特定する。制御部４８は、人物Ｍ１の輪郭から、人物Ｍ１の顔全体の面積を算出するとともに、露出している部分の顔の面積を算出する。制御部４８は、以下の式で重複度を算出する。
重複度＝１００×（露出部分の顔の面積）／（顔全体の面積）
ここで、人物Ｍ１のように顔の一部が隠れていても、顔の重複度が大きく、例えば、重複度が９５％の場合、制御部４８は、確認結果を通知しない。一方、人物Ｍ２のように、顔の隠れている部分が多く、重複度が６０％の場合、制御部４８は、表示部４２に矢印５２を表示させることによって確認結果を通知する。
【００２６】
図４は、間隔差の確認結果を説明する集合写真の一例である。制御部４８は、撮像された画像に含まれる人物と隣接する人物との左右方向の間隔を算出する。制御部４８は、算出した複数の間隔と間隔との差である間隔差を算出して、間隔差閾値Ｔｈ２と比較する。尚、制御部４８は、全ての間隔と間隔との差を算出すのではなく、算出した全ての間隔のうち、最大間隔と最小間隔との差を算出して、当該間隔差と間隔差閾値とを比較する。制御部４８は、間隔差が間隔差閾値Ｔｈ２以上と判定すると、その旨を確認結果として表示部４２に表示させる。
【００２７】
図４に示す例では、まず、制御部４８は、人物Ｍ３の顔の中心または目と目の間の中心を人物Ｍ３の左右方向の位置として算出する。同様に、制御部４８は、人物Ｍ４の位置を算出する。制御部４８は、人物Ｍ３の位置と人物Ｍ４の位置から、人物Ｍ３と人物Ｍ４の間隔を算出する。同様に、制御部４８は、人物Ｍ５と人物Ｍ６との間隔を算出する。制御部４８は、全ての隣接する人物間の間隔を算出する。ここで、全ての間隔のうち、人物Ｍ３と人物Ｍ４の間隔が最小間隔Ｄｍｉｎ、人物Ｍ５と人物Ｍ６の間隔が最大間隔Ｄｍａｘとする。制御部４８は、最大間隔Ｄｍａｘと最小間隔Ｄｍｉｎとの差である間隔差を算出する。制御部４８は、算出した間隔差と間隔差閾値Ｔｈ２と比較する。制御部４８は、間隔差が間隔差閾値Ｔｈ２以上と判定すると、図４に示すように、メッセージ５４を確認結果として表示部４２に表示させて通知する。
【００２８】
図５は、角度差の確認結果を説明する集合写真の一例である。制御部４８は、撮像された画像に含まれる人物の足の上下方向に対する傾斜角度を算出する。尚、足の傾斜角度は、上下方向に対して右方向を正として、左方向を負とする。制御部４８は、算出した足の傾斜角度の差である角度差を算出して、角度差閾値Ｔｈ３と比較する。尚、制御部４８は、全ての足の傾斜角度の差を算出するのではなく、算出した全ての足の傾斜角度のうち、最小角度と最大角度との差を算出して、当該角度差と角度差閾値Ｔｈ３とを比較する。制御部４８は、角度差が角度差閾値Ｔｈ３以上と判定すると、その旨を確認結果として表示部４２に表示させる。
【００２９】
図５に示す例では、まず、制御部４８は、画像に含まれる人物Ｍ７の足を抽出して、足の中心線を特定する。制御部４８は、特定した中心線と上下方向との間の角度を算出する。同様に、制御部４８は、全ての足の角度を算出する。ここで、全ての足の角度のうち、人物Ｍ７の足の角度が最小角度θｍｉｎ、人物Ｍ８の足の角度が最大角度θｍａｘとする。制御部４８は、最大角度θｍａｘと最小角度θｍｉｎとの角度差を算出する。制御部４８は、算出した角度差と角度差閾値Ｔｈ３とを比較する。制御部４８は、角度差が角度差閾値Ｔｈ３以上と判定すると、図５に示すように、メッセージ５６を確認結果として表示部４２に表示させて通知する。更に、制御部４８は、各人物の右足及び左足の位置を別々に検出して、各人物の足の開きを判定してもよい。例えば、制御部４８は、右足の位置と、左足の位置とが離れていると判定すると、当該人物の足が開いていると判定すればよい。この場合、制御部４８は、メッセージを表示部４２に表示させて通知する。尚、制御部４８は、人物の性別を判定して、女性のみ、足の開きを判定するようにしてもよい。
【００３０】
図６は、明暗差の確認結果を説明する集合写真の一例である。制御部４８は、撮像された画像に含まれる人物の顔の明度を算出する。制御部４８は、算出した顔の明度の差である明暗差を算出して、明暗差閾値Ｔｈ４と比較する。尚、制御部４８は、全ての顔と顔との明暗差を算出するのではなく、算出した全ての明度のうち、最高明度と最低明度との明暗差を算出して、当該明暗差と明暗差閾値Ｔｈ４とを比較する。制御部４８は、明暗差が明暗差閾値Ｔｈ４以上と判定すると、その旨を確認結果として表示部４２に表示させる。
【００３１】
図６に示す例では、まず、制御部４８は、画像に含まれる人物Ｍ９の顔の明度を算出する。同様に、制御部４８は、全ての顔の明度を算出する。ここで、全ての顔の明度のうち、人物Ｍ９の顔の明度が最低明度Ｌｍｉｎ、人物Ｍ１０の顔の明度が最高明度Ｌｍａｘとする。制御部４８は、明度差が明度差閾値Ｔｈ４以上と判定すると、図６に示すように、メッセージ５８を確認結果として表示部４２に表示させて通知する。
【００３２】
図７は、撮像処理のフローチャートである。撮像処理は、制御部４８が格納部４６に格納された撮像プログラムを読み込むことによって、実行される。
【００３３】
図７に示すように、撮像処理では、制御部４８は、受付部４０から集合写真の設定指示を受け付けたか否かを判定する（Ｓ１０）。撮像者が、受付部４０を操作して、集合写真の設定指示を入力すると、制御部４８は、受付部４０から集合写真の設定指示を受け付けたと判定して（Ｓ１０：Ｙｅｓ）、集合写真処理を実行する（Ｓ１２）。一方、撮像者が、受付部４０を操作して、集合写真の設定指示以外の設定指示を入力すると、制御部４８は、受付部４０から集合写真の設定指示を受け付けていないと判定して（Ｓ１０：Ｎｏ）、通常撮像処理を実行する（Ｓ１４）。通常撮像処理では、制御部４８は、上記の確認項目５０に関する通知をしない。従って、制御部４８は、確認項目５０に関する判定をしなくてよい。尚、制御部４８は、通常撮像処理における例えば白とび等の判定及び通知は実行してもよい。
【００３４】
図８は、集合写真処理のフローチャートである。集合写真処理は、制御部４８が格納部４６に格納された集合写真プログラムを読み込むことによって実行される。制御部４８は、集合写真処理を実行する前に、格納部４６に確認項目５０を格納している。図８に示すように、集合写真処理では、制御部４８は、まず、撮像指示を受け付けたか否かを判定する（Ｓ１６）。撮像者がシャッターを操作して、制御部４８が、撮像指示を受け付けたと判定すると（Ｓ１６：Ｙｅｓ）、制御部４８は、撮像素子３０及び画像処理部３６を制御して画像を撮像する（Ｓ１８）。
【００３５】
次に、制御部４８は、撮像した画像に含まれる複数の人物の顔の重複度を算出する（Ｓ２０）。制御部４８は、算出した重複度が、格納部４６に格納されている確認項目５０の重複度閾値Ｔｈ１以上か否かを判定する（Ｓ２２）。制御部４８は、重複度の一部が重複度閾値Ｔｈ１未満と判定すると（Ｓ２２：Ｎｏ）、重複度が重複度閾値Ｔｈ１以上の人物を、図３に示すように、表示部４２に矢印５２で示して通知した後（Ｓ２４）、ステップＳ２６を処理する。制御部４８は、全ての重複度が重複度閾値Ｔｈ１以上と判定すると（Ｓ２４：Ｙｅｓ）、ステップＳ２６を処理する。
【００３６】
次に、制御部４８は、撮像した画像に含まれる複数の人物の間隔差を算出する（Ｓ２６）。制御部４８は、算出した間隔差が確認項目５０の間隔差閾値Ｔｈ２以上か否かを判定する（Ｓ２８）。制御部４８は、間隔差が間隔差閾値Ｔｈ２以上と判定すると（Ｓ２８：Ｙｅｓ）、図４に示すように、表示部４２にメッセージ５４を表示して通知した後（Ｓ３０）、ステップＳ３２を処理する。制御部４８は、間隔差が間隔差閾値Ｔｈ２未満と判定すると（Ｓ２８：Ｎｏ）、ステップＳ３２を処理する。
【００３７】
次に、制御部４８は、撮像した画像に含まれる複数の人物の足の角度差を算出する（Ｓ３２）。制御部４８は、算出した角度差が確認項目５０の角度差閾値Ｔｈ３以上か否かを判定する（Ｓ３４）。制御部４８は、角度差が角度差閾値Ｔｈ３以上と判定すると（Ｓ３４：Ｙｅｓ）、図５に示すように、表示部４２にメッセージ５６を表示して通知した後（Ｓ３６）、ステップＳ３８を処理する。制御部４８は、角度差が角度差閾値Ｔｈ３未満と判定すると（Ｓ３４：Ｎｏ）、ステップＳ３８を実行する。
【００３８】
次に、制御部４８は、撮像した画像に含まれる複数の人物の顔の明暗差を算出する（Ｓ３８）。制御部４８は、算出した明暗差が確認項目５０の明暗差閾値Ｔｈ４以上か否かを判定する（Ｓ４０）。制御部４８は、明暗差が明暗差閾値Ｔｈ４以上と判定すると（Ｓ４０：Ｙｅｓ）、図６に示すように、表示部４２にメッセージ５８を表示して通知して（Ｓ４２）、集合写真処理を終了する。制御部４８は、明暗差が明暗差閾値Ｔｈ４未満と判定すると（Ｓ４０：Ｎｏ）、集合写真処理を終了する。
【００３９】
上述したように、撮像装置１０では、受付部４０によって集合写真モードが設定された場合に、制御部４８は、確認項目５０の確認結果を通知している。これにより、制御部４８は、撮像者が不要な場合、当該通知をしないので、撮像者が煩わしさを感じることを抑制できる。
【００４０】
撮像装置１０では、制御部４８が、人の重複度が重複度閾値Ｔｈ１未満の場合、人物を特定してその旨を通知する。従って、撮像者は、当該人物に移動を指示して、すぐに適切な状態で、撮像することができる。
【００４１】
撮像装置１０では、制御部４８が、人の間隔差が間隔差閾値Ｔｈ２以上の場合、その旨を通知する。従って、撮像者は、複数の人物に移動を指示して、すぐに適切な状態で、撮像することができる。
【００４２】
撮像装置１０では、制御部４８が、人の角度差が角度差閾値Ｔｈ３以上の場合、その旨を通知する。従って、撮像者は、複数の人物に足の方向の変更を指示して、すぐに適切な状態で、撮像することができる。
【００４３】
撮像装置１０では、制御部４８が、人の明暗差が明暗差閾値Ｔｈ２以上の場合、その旨を通知する。従って、撮像者は、照明等を操作して、すぐに適切な状態で、撮像することができる。
【００４４】
次に、上述した実施形態の一部を変更または追加した実施形態について説明する。
【００４５】
確認項目５０の１つとして「目の数」を含めて、制御部４８が人物の目の数を確認するようにしてもよい。具体的には、制御部４８は、撮像素子３０が撮像した集合写真の画像から、重複度を算出する。制御部４８は、重複度が重複度閾値Ｔｈ１以下の人物が画像に含まれている場合、当該人物の目を抽出する。ここでは、露出して、且つ、瞑っていない目が抽出される。制御部４８は、抽出した目の数が１個以下の場合、即ち、少なくとも一方の目を閉じている人物がいる場合、その旨と当該人物を示す矢印を表示部４２に表示させる。
【００４６】
制御部４８は、測距部の一例であるＡＦセンサ３８から各人物までの距離を取得して、距離が遠方の人物の画像を拡大補正してもよい。拡大方法の一例は、台形補正拡大である。拡大率の一例は、拡大される距離が遠方の人物の画像が、距離が近傍の人物と同じ大きさとなる数値である。
【００４７】
図９は、人物数差の確認結果を説明する集合写真の一例である。図１０は、別の確認項目５０を説明する図である。図１０に示すように、確認項目５０の１つとして「人物数差閾値Ｔｈ５」を含めて、制御部４８が人物数差を確認するようにしてもよい。具体的には、図９に示すように、制御部４８は、画像を左半分と右半分とに仮想的に分ける。制御部４８は、左半分に含まれる人物の数と、右半分に含まれる人物の数とをカウントした後、２個の数の差を人物数差として算出する。ここで、左半分の人物の数を３人、右半分の人物の数を７人として、人物数差を４人とする。例えば、人物数差閾値Ｔｈ５が３人の場合、制御部４８は、人物数差が人物数差閾値Ｔｈ５以上と判定するので、メッセージ６０を確認結果として表示部４２に表示させる。
【００４８】
図１１は、上下重複度及び水平重複度の確認を説明する集合写真の一例である。図１２は、別の確認項目５０を説明する図である。図１２に示すように、確認項目５０として、「上下重複度閾値Ｔｈ６」及び「水平重複度閾値Ｔｈ７」を追加して、制御部４８が上下重複度及び水平重複度を確認するようにしてもよい。ここで、水平重複度閾値Ｔｈ７は、上下重複度閾値Ｔｈ６より大きい。具体的には、図１１に示すように、制御部４８は、画像から人物の顔を抽出して、顔を上下左右に４分割して４個の領域Ａ１、Ａ２、Ａ３、Ａ４を生成する。制御部４８は、領域Ａ１、Ａ２の重複度の合計を上下重複度として算出して、当該上下重複度が上下重複度閾値Ｔｈ６未満であれば、その旨と当該人物を示す矢印を表示部４２に表示させる。制御部４８は、領域Ａ３、Ａ４の重複度の合計を水平重複度として算出して、当該水平重複度が水平重複度閾値Ｔｈ７未満であれば、その旨と当該人物を示す矢印を表示部４２に表示させる。
【００４９】
上述の実施形態では、確認項目５０が４個の閾値を含む１組であったが、複数種類の確認項目５０を格納部４６に格納してもよい。例えば、上半身用確認項目と、全身用確認項目とを格納部４６に格納してもよい。この場合、制御部４８は、画像に複数の人物の全身が含まれる場合、全身用確認項目を用いて画像を確認する。一方、制御部４８は、画像に複数の人物の全身が含まれない場合、上半身用確認項目を用いて画像を確認する。尚、全身用確認項目の一例は、上述した確認項目５０であって、上半身用確認項目の一例は、確認項目５０から角度差閾値を削除した項目である。
【００５０】
上述の実施形態では、１枚の静止画を、確認項目５０を確認する画像の対象としたが、複数枚の画像を確認するようにしてもよい。この場合、制御部４８が、最も確認項目５０の条件を満たしている画像を抽出してもよい。また、制御部４８が、最も確認項目５０の条件を満たしている画像に、他の画像の一部を合成して、確認項目５０の条件を満たすようにしてもよい。
【００５１】
上述の実施形態では、撮像後の静止画を、確認項目５０を確認する画像の対象としたが、撮像前のいわゆるライブビューの画像を、確認項目５０を確認する画像の対象としてもよい。この場合であっても、制御部４８は、本撮像直後の再生時に確認項目５０の確認結果を通知してもよい。これにより、撮像者は、その場で撮り直すことができる。
【００５２】
制御部４８は、横を向いている人物を抽出した場合、その旨と当該人物を示す矢印を表示部４２に表示させてもよい。
【００５３】
確認項目に含まれる項目として、「逆光か否か」、「画像が傾斜しているか否か」を追加してもよい。
【００５４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５６】
１０  撮像装置、        １２  レンズユニット、        １４  本体ユニット、        １６  光軸、        ２０  撮像レンズ、        ２２  レンズ制御部、        ２４  絞り、        ２６  絞り制御部、        ３０  撮像素子、        ３２  Ａ／Ｄ変換回路、        ３４  駆動部、        ３６  画像処理部、        ３８  ＡＦセンサ、        ４０  受付部、        ４２  表示部、        ４４  メモリカード、        ４６  格納部、        ４７  タイマ、        ４８  制御部、        ５０  確認項目、        ５２  矢印、        ５４  メッセージ、        ５６  メッセージ、        ５８  メッセージ、        ６０  メッセージ
【図１】
2014086971.tif 000003
【図２】
2014086971.tif 000004
【図３】
2014086971.tif 000005
【図４】
2014086971.tif 000006
【図５】
2014086971.tif 000007
【図６】
2014086971.tif 000008
【図７】
2014086971.tif 000009
【図８】
2014086971.tif 000010
【図９】
2014086971.tif 000011
【図１０】
2014086971.tif 000012
【図１１】
2014086971.tif 000013
【図１２】
2014086971.tif 000014